(57)【要約】  本開示の実施例は、バンドリングサイズ決定方法、ユーザ端末およびネットワーク側機器を提供する。当該方法において、ユーザ端末が、前記ユーザ端末では単一ＰＲＢ  ｂｕｎｄｌｉｎｇがサポートされるかを示すための能力情報をネットワーク側機器に報知し、前記ネットワーク側機器から前記能力情報に基づいて前記ユーザ端末に設定したバンドリングサイズセットを受信することを含み、ここで単一ＰＲＢ  ｂｕｎｄｌｉｎｇをサポートすることが、ＰＲＢ  ｂｕｎｄｌｉｎｇ機能のオフをサポートすることを示し、および／または、バンドリングサイズ動的調整機能を前記ネットワーク側機器によってオフにする場合、前記ユーザ端末が、データ伝送の際に、初期設定のバンドリングサイズまたはハイレイヤシグナリングによって設定されたバンドリングサイズを利用することを含む。【選択図】  図２
2021502787.tif 000002
【特許請求の範囲】
【請求項１】
ユーザ端末が、前記ユーザ端末では単一ＰＲＢ  ｂｕｎｄｌｉｎｇがサポートされるかを示すための能力情報をネットワーク側機器に報知し、前記ネットワーク側機器から前記能力情報に基づいて前記ユーザ端末に設定したバンドリングサイズセットを受信することを含み、ここで、単一ＰＲＢ  ｂｕｎｄｌｉｎｇをサポートすることが、ＰＲＢ  ｂｕｎｄｌｉｎｇ機能のオフをサポートすることを示し、
および／または、
バンドリングサイズ動的調整機能を前記ネットワーク側機器によってオフにする場合、前記ユーザ端末が、データ伝送の際に、初期設定のバンドリングサイズまたはハイレイヤシグナリングによって設定されたバンドリングサイズを利用することを含む、バンドリングサイズ決定方法。
【請求項２】
前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、
または、
前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む、請求項１に記載の方法。
【請求項３】
前記ユーザ端末が、データ伝送の際に、初期設定のバンドリングサイズまたはハイレイヤシグナリングによって設定されたバンドリングサイズを利用することは、
前記ユーザ端末が、データ伝送の際に、初期設定のバンドリングサイズを利用すること、または、
前記ユーザ端末が、データ伝送の際に、前記ネットワーク側機器からハイレイヤシグナリングによって設定され、前記ユーザ端末で利用可能なバンドリングサイズセットのうちの１つであるバンドリングサイズを利用すること、または、
前記ユーザ端末が、データ伝送の際に、前記ユーザ端末で利用可能なバンドリングサイズセットのうちの最小値のバンドリングサイズを利用することを含む、請求項１または２に記載の方法。
【請求項４】
前記ユーザ端末で利用可能なバンドリングサイズセットは、前記ネットワーク側機器から前記能力情報に基づいて前記ユーザ端末に設定したバンドリングサイズセットを含む、請求項３に記載の方法。
【請求項５】
ネットワーク側機器が、ユーザ端末から報知される能力情報であって、前記ユーザ端末では単一ＰＲＢ  ｂｕｎｄｌｉｎｇがサポートされるかを示すための能力情報を受信し、前記ネットワーク側機器から前記能力情報に基づいて前記ユーザ端末に設定したバンドリングサイズセットを前記ユーザ端末に送信することを含み、ここで、単一ＰＲＢ  ｂｕｎｄｌｉｎｇをサポートすることが、ＰＲＢ  ｂｕｎｄｌｉｎｇ機能のオフをサポートすることを示し、
および／または、
前記ネットワーク側機器が、バンドリングサイズ動的調整機能をオフにする場合、ハイレイヤシグナリングによって前記ユーザ端末にバンドリングサイズを設定することを含む、バンドリングサイズ決定方法。
【請求項６】
前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、
または、
前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む、請求項５に記載の方法。
【請求項７】
前記のハイレイヤシグナリングによって前記ユーザ端末に設定するバンドリングサイズは、前記ユーザ端末で利用可能なバンドリングサイズセットのうちの１つのバンドリングサイズである、請求項５または６に記載の方法。
【請求項８】
前記ユーザ端末で利用可能なバンドリングサイズセットは、前記ネットワーク側機器から前記能力情報に基づいて前記ユーザ端末に設定したバンドリングサイズセットを含む、請求項７に記載の方法。
【請求項９】
ユーザ端末であって、
前記ユーザ端末では単一ＰＲＢ  ｂｕｎｄｌｉｎｇがサポートされるかを示すための能力情報をネットワーク側機器に報知し、前記ネットワーク側機器から前記能力情報に基づいて前記ユーザ端末に設定したバンドリングサイズセットを受信するための伝送モジュールを含み、ここで、単一ＰＲＢ  ｂｕｎｄｌｉｎｇをサポートすることが、ＰＲＢ  ｂｕｎｄｌｉｎｇ機能のオフをサポートすることを示し、
および／または、
バンドリングサイズ動的調整機能を前記ネットワーク側機器によってオフにする場合、前記ユーザ端末のデータ伝送の際に、初期設定のバンドリングサイズまたはハイレイヤシグナリングによって設定されたバンドリングサイズを利用するための利用モジュールを含む、ユーザ端末。
【請求項１０】
前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、
または、
前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む、請求項９に記載のユーザ端末。
【請求項１１】
前記利用モジュールは、バンドリングサイズ動的調整機能を前記ネットワーク側機器によってオフにする場合、データ伝送の際に、初期設定のバンドリングサイズを利用することに用いられ、または、
前記利用モジュールは、バンドリングサイズ動的調整機能を前記ネットワーク側機器によってオフにする場合、データ伝送の際に、前記ネットワーク側機器からハイレイヤシグナリングによって設定され、前記ユーザ端末で利用可能なバンドリングサイズセットのうちの１つであるバンドリングサイズを利用することに用いられ、または、
前記利用モジュールは、バンドリングサイズ動的調整機能を前記ネットワーク側機器によってオフにする場合、データ伝送の際に、前記ユーザ端末で利用可能なバンドリングサイズセットのうちの最小値のバンドリングサイズを利用することに用いられる、請求項９または１０に記載のユーザ端末。
【請求項１２】
ネットワーク側機器であって、
ユーザ端末から報知される能力情報であって、前記ユーザ端末では単一ＰＲＢ  ｂｕｎｄｌｉｎｇがサポートされるかを示すための能力情報を受信し、前記ネットワーク側機器から前記能力情報に基づいて前記ユーザ端末に設定したバンドリングサイズセットを前記ユーザ端末に送信するための伝送モジュールを含み、ここで、単一ＰＲＢ  ｂｕｎｄｌｉｎｇをサポートすることが、ＰＲＢ  ｂｕｎｄｌｉｎｇ機能のオフをサポートすることを示し、
および／または、
前記ネットワーク側機器がバンドリングサイズ動的調整機能をオフにする場合、ハイレイヤシグナリングによって前記ユーザ端末にバンドリングサイズを設定するための設定モジュールを含む、ネットワーク側機器。
【請求項１３】
前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、
または、
前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む、請求項１２に記載のネットワーク側機器。
【請求項１４】
前記のハイレイヤシグナリングによって前記ユーザ端末に設定するバンドリングサイズは、前記ユーザ端末で利用可能なバンドリングサイズセットのうちの１つのバンドリングサイズである、請求項１２または１３に記載のネットワーク側機器。
【請求項１５】
トランシーバと、メモリと、プロセッサと、前記メモリに格納されて前記プロセッサで実行可能なコンピュータプログラムを含むユーザ端末において、
前記トランシーバは、
前記ユーザ端末では単一ＰＲＢ  ｂｕｎｄｌｉｎｇがサポートされるかを示すための能力情報をネットワーク側機器に報知し、前記ネットワーク側機器から前記能力情報に基づいて前記ユーザ端末に設定したバンドリングサイズセットを受信することに用いられ、ここで、単一ＰＲＢ  ｂｕｎｄｌｉｎｇをサポートすることが、ＰＲＢ  ｂｕｎｄｌｉｎｇ機能のオフをサポートすることを示し、
および／または、
バンドリングサイズ動的調整機能を前記ネットワーク側機器によってオフにする場合、データ伝送の際に、初期設定のバンドリングサイズまたはハイレイヤシグナリングによって設定されたバンドリングサイズを利用することに用いられる、ユーザ端末。
【請求項１６】
前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、
または、
前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む、請求項１５に記載のユーザ端末。
【請求項１７】
前記データ伝送の際に、初期設定のバンドリングサイズまたはハイレイヤシグナリングによって設定されたバンドリングサイズを利用することは、
データ伝送の際に、初期設定のバンドリングサイズを利用すること、または、
データ伝送の際に、前記ネットワーク側機器からハイレイヤシグナリングによって設定され、前記ユーザ端末で利用可能なバンドリングサイズセットのうちの１つであるバンドリングサイズを利用すること、または、
データ伝送の際に、前記ユーザ端末で利用可能なバンドリングサイズセットのうちの最小値のバンドリングサイズを利用することを含む、請求項１５または１６に記載のユーザ端末。
【請求項１８】
前記ユーザ端末で利用可能なバンドリングサイズセットは、前記ネットワーク側機器から前記能力情報に基づいて前記ユーザ端末に設定したバンドリングサイズセットを含む、請求項１７に記載のユーザ端末。
【請求項１９】
トランシーバと、メモリと、プロセッサと、前記メモリに格納されて前記プロセッサで実行可能なコンピュータプログラムを含むネットワーク側機器において、
前記トランシーバは、
ユーザ端末から報知される能力情報であって、前記ユーザ端末では単一ＰＲＢ  ｂｕｎｄｌｉｎｇがサポートされるかを示すための能力情報を受信し、前記ネットワーク側機器から前記能力情報に基づいて前記ユーザ端末に設定したバンドリングサイズセットを前記ユーザ端末に送信することに用いられ、ここで、単一ＰＲＢ  ｂｕｎｄｌｉｎｇをサポートすることが、ＰＲＢ  ｂｕｎｄｌｉｎｇ機能のオフをサポートすることを示し、
および／または、
前記ネットワーク側機器がバンドリングサイズ動的調整機能をオフにする場合、ハイレイヤシグナリングによって前記ユーザ端末にバンドリングサイズを設定することに用いられる、ネットワーク側機器。
【請求項２０】
前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、
または、
前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む、請求項１９に記載のネットワーク側機器。
【請求項２１】
前記のハイレイヤシグナリングによって前記ユーザ端末に設定するバンドリングサイズは、前記ユーザ端末で利用可能なバンドリングサイズセットのうちの１つのバンドリングサイズである、請求項１９または２０に記載のネットワーク側機器。
【請求項２２】
前記ユーザ端末で利用可能なバンドリングサイズセットは、前記ネットワーク側機器から前記能力情報に基づいて前記ユーザ端末に設定したバンドリングサイズセットを含む、請求項２１に記載のネットワーク側機器。
【請求項２３】
コンピュータプログラムが格納されているコンピュータ読み取り可能な記憶媒体であって、
当該プログラムがプロセッサによって実行されると、請求項１〜４のいずれか一項に記載のバンドリングサイズ決定方法のステップが実現される、コンピュータ読み取り可能な記憶媒体。
【請求項２４】
コンピュータプログラムが格納されているコンピュータ読み取り可能な記憶媒体であって、
当該プログラムがプロセッサによって実行されると、請求項５〜８のいずれか一項に記載のバンドリングサイズ決定方法のステップが実現される、コンピュータ読み取り可能な記憶媒体。
【発明の詳細な説明】
【技術分野】
【０００１】
本願は、２０１７年１１月２１日に中国特許庁に提出された中国特許出願２０１７１１１６７２１８．６の優先権を主張し、その全ての内容が援用によりここに取り込まれる。
本開示は、通信技術分野に係り、特にバンドリング（ｂｕｎｄｌｉｎｇ）サイズ決定方法、ユーザ端末およびネットワーク側機器に係る。
【背景技術】
【０００２】
チャネル推定の品質を改善するために、現在、通信システムには、ＰＲＢ（Ｐｈｙｓｉｃａｌ  Ｒｅｓｏｕｒｃｅ  Ｂｌｏｃｋ）  ｂｕｎｄｌｉｎｇ技術が導入されている。ＰＲＢ  ｂｕｎｄｌｉｎｇ技術によって、複数の連続するＰＲＢではプリコーディング方式を一定に保持するように制限する。このように、ＰＲＢ  ｂｕｎｄｌｉｎｇ技術は、複数のＰＲＢの共同チャネル推定によってチャネル推定の精度を高めることができる。しかし、バンドリングサイズ（ｓｉｚｅ）をどのように決定するかは、議論されている問題である。
【発明の概要】
【発明が解決しようとする課題】
【０００３】
本開示の実施例は、バンドリングサイズ決定方法、ユーザ端末およびネットワーク側機器を提供し、バンドリングサイズを決定する問題を解決しようとする。
【課題を解決するための手段】
【０００４】
本開示の実施例は、バンドリングサイズ決定方法を提供する。当該方法において、ユーザ端末が、前記ユーザ端末では単一ＰＲＢ  ｂｕｎｄｌｉｎｇがサポートされるかを示すための能力情報をネットワーク側機器に報知し、前記ネットワーク側機器から前記能力情報に基づいて前記ユーザ端末に設定したバンドリングサイズセットを受信することを含み、ここで、単一ＰＲＢ  ｂｕｎｄｌｉｎｇをサポートすることが、ＰＲＢ  ｂｕｎｄｌｉｎｇ機能のオフをサポートすることを示し、および／または、バンドリングサイズ動的調整機能を前記ネットワーク側機器によってオフにする場合、前記ユーザ端末が、データ伝送の際に、初期設定のバンドリングサイズまたはハイレイヤシグナリングによって設定されたバンドリングサイズを利用することを含む。
【０００５】
選択可能に、前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、または、前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む。
【０００６】
選択可能に、前記ユーザ端末が、データ伝送の際に、初期設定のバンドリングサイズまたはハイレイヤシグナリングによって設定されたバンドリングサイズを利用することは、前記ユーザ端末が、データ伝送の際に、初期設定のバンドリングサイズを利用すること、または、前記ユーザ端末が、データ伝送の際に、前記ネットワーク側機器からハイレイヤシグナリングによって設定され、前記ユーザ端末で利用可能なバンドリングサイズセットのうちの１つであるバンドリングサイズを利用すること、または、前記ユーザ端末が、データ伝送の際に、前記ユーザ端末で利用可能なバンドリングサイズセットのうちの最小値のバンドリングサイズを利用することを含む。
【０００７】
選択可能に、前記ユーザ端末で利用可能なバンドリングサイズセットは、前記ネットワーク側機器から前記能力情報に基づいて前記ユーザ端末に設定したバンドリングサイズセットを含む。
【０００８】
本開示の実施例は、バンドリングサイズ決定方法をさらに提供する。当該方法において、ネットワーク側機器が、ユーザ端末から報知される能力情報であって、前記ユーザ端末では単一ＰＲＢ  ｂｕｎｄｌｉｎｇがサポートされるかを示すための能力情報を受信し、前記ネットワーク側機器から前記能力情報に基づいて前記ユーザ端末に設定したバンドリングサイズセットを前記ユーザ端末に送信することを含み、ここで、単一ＰＲＢ  ｂｕｎｄｌｉｎｇをサポートすることが、ＰＲＢ  ｂｕｎｄｌｉｎｇ機能のオフをサポートすることを示し、および／または、前記ネットワーク側機器が、バンドリングサイズ動的調整機能をオフにする場合、ハイレイヤシグナリングによって前記ユーザ端末にバンドリングサイズを設定することを含む。
【０００９】
選択可能に、前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、または、前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む。
【００１０】
選択可能に、前記のハイレイヤシグナリングによって前記ユーザ端末に設定するバンドリングサイズは、前記ユーザ端末で利用可能なバンドリングサイズセットのうちの１つのバンドリングサイズである。
【００１１】
選択可能に、前記ユーザ端末で利用可能なバンドリングサイズセットは、前記ネットワーク側機器から前記能力情報に基づいて前記ユーザ端末に設定したバンドリングサイズセットを含む。
【００１２】
本開示の実施例は、ユーザ端末を提供する。当該ユーザ端末は、前記ユーザ端末では単一ＰＲＢ  ｂｕｎｄｌｉｎｇがサポートされるかを示すための能力情報をネットワーク側機器に報知し、前記ネットワーク側機器から前記能力情報に基づいて前記ユーザ端末に設定したバンドリングサイズセットを受信するための伝送モジュールを含み、ここで、単一ＰＲＢ  ｂｕｎｄｌｉｎｇをサポートすることが、ＰＲＢ  ｂｕｎｄｌｉｎｇ機能のオフをサポートすることを示し、および／または、バンドリングサイズ動的調整機能を前記ネットワーク側機器によってオフにする場合、前記ユーザ端末のデータ伝送の際に、初期設定のバンドリングサイズまたはハイレイヤシグナリングによって設定されたバンドリングサイズを利用するための利用モジュールを含む。
【００１３】
選択可能に、前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、または、前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む。
【００１４】
選択可能に、前記利用モジュールは、バンドリングサイズ動的調整機能を前記ネットワーク側機器によってオフにする場合、データ伝送の際に、初期設定のバンドリングサイズを利用することに用いられ、または、前記利用モジュールは、バンドリングサイズ動的調整機能を前記ネットワーク側機器によってオフにする場合、データ伝送の際に、前記ネットワーク側機器からハイレイヤシグナリングによって設定され、前記ユーザ端末で利用可能なバンドリングサイズセットのうちの１つであるバンドリングサイズを利用することに用いられ、または、前記利用モジュールは、バンドリングサイズ動的調整機能を前記ネットワーク側機器によってオフにする場合、データ伝送の際に、前記ユーザ端末で利用可能なバンドリングサイズセットのうちの最小値のバンドリングサイズを利用することに用いられる。
【００１５】
本開示の実施例は、ネットワーク側機器をさらに提供する。当該ネットワーク側機器は、ユーザ端末から報知される能力情報であって、前記ユーザ端末では単一ＰＲＢ  ｂｕｎｄｌｉｎｇがサポートされるかを示すための能力情報を受信し、前記ネットワーク側機器から前記能力情報に基づいて前記ユーザ端末に設定したバンドリングサイズセットを前記ユーザ端末に送信するための伝送モジュールを含み、ここで、単一ＰＲＢ  ｂｕｎｄｌｉｎｇをサポートすることが、ＰＲＢ  ｂｕｎｄｌｉｎｇ機能のオフをサポートすることを示し、および／または、前記ネットワーク側機器がバンドリングサイズ動的調整機能をオフにする場合、ハイレイヤシグナリングによって前記ユーザ端末にバンドリングサイズを設定するための設定モジュールを含む。
【００１６】
選択可能に、前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、または、前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む。
【００１７】
選択可能に、前記のハイレイヤシグナリングによって前記ユーザ端末に設定するバンドリングサイズは、前記ユーザ端末で利用可能なバンドリングサイズセットのうちの１つのバンドリングサイズである。
【００１８】
本開示の実施例は、トランシーバと、メモリと、プロセッサと、前記メモリに格納されて前記プロセッサで実行可能なコンピュータプログラムを含むユーザ端末をさらに提供する。前記トランシーバは、前記ユーザ端末では単一ＰＲＢ  ｂｕｎｄｌｉｎｇがサポートされるかを示すための能力情報をネットワーク側機器に報知し、前記ネットワーク側機器から前記能力情報に基づいて前記ユーザ端末に設定したバンドリングサイズセットを受信することに用いられ、ここで、単一ＰＲＢ  ｂｕｎｄｌｉｎｇをサポートすることが、ＰＲＢ  ｂｕｎｄｌｉｎｇ機能のオフをサポートすることを示し、および／または、バンドリングサイズ動的調整機能を前記ネットワーク側機器によってオフにする場合、データ伝送の際に、初期設定のバンドリングサイズまたはハイレイヤシグナリングによって設定されたバンドリングサイズを利用することに用いられる。
【００１９】
選択可能に、前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、または、前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む。
【００２０】
選択可能に、前記データ伝送の際に、初期設定のバンドリングサイズまたはハイレイヤシグナリングによって設定されたバンドリングサイズを利用することは、データ伝送の際に、初期設定のバンドリングサイズを利用すること、または、データ伝送の際に、前記ネットワーク側機器からハイレイヤシグナリングによって設定され、前記ユーザ端末で利用可能なバンドリングサイズセットのうちの１つであるバンドリングサイズを利用すること、または、データ伝送の際に、前記ユーザ端末で利用可能なバンドリングサイズセットのうちの最小値のバンドリングサイズを利用することを含む。
【００２１】
選択可能に、前記ユーザ端末で利用可能なバンドリングサイズセットは、前記ネットワーク側機器から前記能力情報に基づいて前記ユーザ端末に設定したバンドリングサイズセットを含む。
【００２２】
本開示の実施例は、トランシーバと、メモリと、プロセッサと、前記メモリに格納されて前記プロセッサで実行可能なコンピュータプログラムを含むネットワーク側機器をさらに提供する。前記トランシーバは、ユーザ端末から報知される能力情報であって、前記ユーザ端末では単一ＰＲＢ  ｂｕｎｄｌｉｎｇがサポートされるかを示すための能力情報を受信し、前記ネットワーク側機器から前記能力情報に基づいて前記ユーザ端末に設定したバンドリングサイズセットを前記ユーザ端末に送信することに用いられ、ここで、単一ＰＲＢ  ｂｕｎｄｌｉｎｇをサポートすることが、ＰＲＢ  ｂｕｎｄｌｉｎｇ機能のオフをサポートすることを示し、および／または、前記ネットワーク側機器がバンドリングサイズ動的調整機能をオフにする場合、ハイレイヤシグナリングによって前記ユーザ端末にバンドリングサイズを設定することに用いられる。
【００２３】
選択可能に、前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、または、前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む。
【００２４】
選択可能に、前記のハイレイヤシグナリングによって前記ユーザ端末に設定するバンドリングサイズは、前記ユーザ端末で利用可能なバンドリングサイズセットのうちの１つのバンドリングサイズである。
【００２５】
選択可能に、前記ユーザ端末で利用可能なバンドリングサイズセットは、前記ネットワーク側機器から前記能力情報に基づいて前記ユーザ端末に設定したバンドリングサイズセットを含む。
【００２６】
本開示の実施例は、コンピュータプログラムが格納されているコンピュータ読み取り可能な記憶媒体をさらに提供する。当該プログラムがプロセッサによって実行されると、本開示の実施例におけるユーザ端末側のバンドリングサイズ決定方法のステップが実現される。
【００２７】
本開示の実施例は、コンピュータプログラムが格納されているコンピュータ読み取り可能な記憶媒体をさらに提供する。当該プログラムがプロセッサによって実行されると、本開示の実施例におけるネットワーク側機器側のバンドリングサイズ決定方法のステップが実現される。
【発明の効果】
【００２８】
本開示の実施例において、ユーザ端末は、前記ユーザ端末では単一ＰＲＢ  ｂｕｎｄｌｉｎｇがサポートされるかを示すための能力情報をネットワーク側機器に報知し、前記ネットワーク側機器から前記能力情報に基づいて前記ユーザ端末に設定したバンドリングサイズセットを受信し、ここで、単一ＰＲＢ  ｂｕｎｄｌｉｎｇをサポートすることが、ＰＲＢ  ｂｕｎｄｌｉｎｇ機能のオフをサポートすることを示し、および／または、バンドリングサイズ動的調整機能を前記ネットワーク側機器によってオフにする場合、前記ユーザ端末は、データ伝送の際に、初期設定のバンドリングサイズまたはハイレイヤシグナリングによって設定されたバンドリングサイズを利用する。よって、ユーザ端末のバンドリングサイズを決定することができる。
【図面の簡単な説明】
【００２９】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００３０】
【図１】図１は、本開示の実施例の応用可能なネットワーク構造図である。
【図２】図２は、本開示の実施例におけるバンドリングサイズ決定方法のフローチャートである。
【図３】図３は、本開示の実施例における別のバンドリングサイズ決定方法のフローチャートである。
【図４】図４は、本開示の実施例における別のバンドリングサイズ決定方法のフローチャートである。
【図５】図５は、本開示の実施例における別のバンドリングサイズ決定方法のフローチャートである。
【図６】図６は、本開示の実施例におけるユーザ端末の構造図である。
【図７】図７は、本開示の実施例における別のユーザ端末の構造図である。
【図８】図８は、本開示の実施例におけるネットワーク側機器の構造図である。
【図９】図９は、本開示の実施例における別のネットワーク側機器の構造図である。
【図１０】図１０は、本開示の実施例における別のユーザ端末の構造図である。
【図１１】図１１は、本開示の実施例における別のネットワーク側機器の構造図である。
【発明を実施するための形態】
【００３１】
以下、本開示の実施例の図面を参照しながら、本開示の実施例の技術手段を明確且つ完全的に記載する。明らかに、記載される実施例は、本開示の実施例の一部であり、全てではない。本開示の実施例に基づき、当業者が創造性のある作業をせずに為しえる全ての実施例は、本開示の保護範囲に属するものである。
【００３２】
図１を参照する。図１は、本開示の実施例の応用可能なネットワーク構造図である。図１に示すように、ＵＥ（Ｕｓｅｒ  Ｅｑｕｉｐｍｅｎｔ）１１とネットワーク側機器１２が含まれる。ここで、ユーザ端末１１は、携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末側機器である。なお、本開示の実施例では、ユーザ端末１１の具体的な種類を限定しない。ネットワーク側機器１２は、たとえば、マクロ基地局、ＬＴＥ  ｅＮＢ、５Ｇ  ＮＲ  ＮＢなどの基地局である。ネットワーク側機器１２は、ｐｉｃｏ、ｆｅｍｔｏなどＬＰＮ（ｌｏｗ  ｐｏｗｅｒ  ｎｏｄｅ）のスモール基地局であり、またはＡＰ（ａｃｃｅｓｓ  ｐｏｉｎｔ）である。基地局は、ＣＵ（ｃｅｎｔｒａｌ  ｕｎｉｔ）およびその管理／制御下の複数のＴＲＰ（Ｔｒａｎｓｍｉｓｓｉｏｎ  Ｒｅｃｅｐｔｉｏｎ  Ｐｏｉｎｔ）からなるネットワークノードであってもよい。なお、本開示の実施例では、ネットワーク側機器１２の具体的な種類を限定しない。
【００３３】
図２を参照する。図２は、本開示の実施例におけるバンドリングサイズ決定方法のフローチャートである。図２に示すように、以下のステップを含む。
【００３４】
ステップ２０１において、ユーザ端末は、前記ユーザ端末では単一ＰＲＢ  ｂｕｎｄｌｉｎｇがサポートされるかを示すための能力情報をネットワーク側機器に報知し、前記ネットワーク側機器から前記能力情報に基づいて前記ユーザ端末に設定したバンドリングサイズセットを受信する。ここで、単一ＰＲＢ  ｂｕｎｄｌｉｎｇをサポートすることが、ＰＲＢ  ｂｕｎｄｌｉｎｇ機能のオフをサポートすることを示す。
【００３５】
ここで、単一ＰＲＢ  ｂｕｎｄｌｉｎｇをサポートすることが、ＰＲＢ  ｂｕｎｄｌｉｎｇ機能のオフをサポートすることを示すことは、ユーザ端末では複数ＰＲＢによるバンドリングではなく、単一ＰＲＢで単独にチャネル推定を行うことをサポートし、または、ユーザ端末では異なるＰＲＢで異なるプリコーディングが用いられると理解できる。もちろん、ユーザ端末は、単一ＰＲＢ  ｂｕｎｄｌｉｎｇをサポートするのであれば、複数ＰＲＢ  ｂｕｎｄｌｉｎｇもサポートし、すなわちＰＲＢ  ｂｕｎｄｌｉｎｇ機能をオフにしない。
【００３６】
ＰＲＢ  ｂｕｎｄｌｉｎｇがサポートされないことは、ＰＲＢ  ｂｕｎｄｌｉｎｇ機能のオフをサポートしないと理解できる。すると、ユーザ端末は、単一ＰＲＢによる単独のチャネル推定をサポートせず、または、複数ＰＲＢによるｂｕｎｄｌｉｎｇのみをサポートする。
【００３７】
ネットワーク側機器は、上記能力情報を受信すると、ユーザ端末ではＰＲＢ  ｂｕｎｄｌｉｎｇがサポートされるかに応じて、異なるバンドリングサイズセットを設定する。ここで、当該バンドリングサイズセットは、異なる通信シーン、トラフィックに適用するために、複数のバンドリングサイズを含む。
【００３８】
また、ユーザ端末は、上記バンドリングサイズセットを受信すると、当該バンドリングサイズセットから１つのバンドリングサイズを選択してデータ伝送を行う。たとえば、ネットワーク側機器がバンドリングサイズ動的調整機能をオフにする場合、ユーザ端末は、自主的に当該バンドリングサイズセットから１つのバンドリングサイズを選択してデータ伝送を行う。または、ユーザ端末は、ネットワーク側機器から送信された指示情報を受信し、当該指示情報に従って、当該バンドリングサイズセットから１つのバンドリングサイズを選択してデータ伝送を行う。たとえば、ネットワーク側機器がバンドリングサイズ動的調整機能をオンにする場合、ユーザ端末は、ネットワーク側機器から送信された指示情報に基づき、当該バンドリングサイズセットから１つのバンドリングサイズを選択してデータ伝送を行う。
【００３９】
本開示の実施例において、上記ステップによって、ユーザ端末の単一ＰＲＢ  ｂｕｎｄｌｉｎｇが実現される。すると、ＴＤＤ（Ｔｉｍｅ  Ｄｉｖｉｓｉｏｎ  Ｄｕｐｌｅｘｉｎｇ）システムに対し、特にアンテナ数が多くかつチャネル周波数選択性が大きい場合、周波数選択性ビームフォーミングのゲインを高めることができる。
【００４０】
選択可能に、前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含む。
【００４１】
ここで、上記連続的にスケジューリングされる帯域幅は、ユーザ端末のスケジューリングされる連続帯域幅であり、または複数回でスケジューリングされる連続帯域幅の合計である。上記１、２、４およびほかの値は、１、２、４、ほかの値の数のＰＲＢを示し、かつ上記ほかの値は、１、２、４以外の１つまたは複数の整数である。
【００４２】
当該実施形態において、１を含むバンドリングサイズセット、たとえば｛１、２、４、連続的にスケジューリングされる帯域幅｝またはそれ以外の１を含む値のセットをユーザ端末に設定することが実現される。すると、ネットワーク側機器は、ユーザ端末に対しバンドリングサイズを１に動的に設定し、ユーザ端末は、単一ＰＲＢ  ｂｕｎｄｌｉｎｇを行う。または、バンドリングサイズを複数ＰＲＢに設定すると、ユーザ端末は、複数ＰＲＢ  ｂｕｎｄｌｉｎｇを行う。または、ユーザ端末は、上記バンドリングサイズセットからバンドリングサイズとして１を選択すると、単一ＰＲＢ  ｂｕｎｄｌｉｎｇを行う。または、ユーザ端末は、バンドリングサイズとして複数ＰＲＢを選択すると、複数ＰＲＢ  ｂｕｎｄｌｉｎｇを行う。ここで、単一ＰＲＢ  ｂｕｎｄｌｉｎｇは、ＴＤＤシステムに対し、特にアンテナ数が多くかつチャネル周波数選択性が大きい場合、周波数選択性ビームフォーミングのゲインを高めることができる。
【００４３】
選択可能に、前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む。
【００４４】
当該実施形態において、１を含まないバンドリングサイズセット、たとえば｛２、４、連続的にスケジューリングされる帯域幅｝またはそれ以外の１を含まない値のセットをユーザ端末に設定することが実現される。すると、ネットワーク側機器は、ユーザ端末に対しバンドリングサイズを複数ＰＲＢに動的に設定し、ユーザ端末は、複数ＰＲＢ  ｂｕｎｄｌｉｎｇを行う。または、ユーザ端末は、上記バンドリングサイズセットからバンドリングサイズとして複数ＰＲＢを選択すると、複数ＰＲＢ  ｂｕｎｄｌｉｎｇを行う。このように、ユーザ端末では単一ＰＲＢ  ｂｕｎｄｌｉｎｇがサポートされないにかかわらず、バンドリングサイズとして１をユーザ端末に設定することによるミスが避けられる。
【００４５】
選択可能に、前記方法は、前記ネットワーク側機器によってバンドリングサイズ動的調整機能をオンにする場合、前記ユーザ端末が、バンドリングサイズ動的指示を含むＤＣＩを前記ネットワーク側機器から受信することと、前記ユーザ端末が、前記バンドリングサイズ動的指示に基づき、データ伝送に利用されるバンドリングサイズを決定することとをさらに含む。
【００４６】
ここで、上記ＤＣＩは、１ｂｉｔによってバンドリングサイズを動的に指示する。たとえば、ＤＣＩでバンドリングサイズ動的指示ビットの値が１である場合、ユーザ端末は、ハイレイヤシグナリングによって予め設定された１つまたは２つの値から１つのバンドリングサイズを選択する。当該ｂｉｔ＝１に対し２つの値が対応する場合、暗黙的な対応関係、たとえばスケジューリング帯域幅などのパラメータによって、どのバンドリングサイズを取るかを決定する。
【００４７】
または、ＤＣＩでバンドリングサイズ動的指示ビットが０である場合、ユーザ端末は、ハイレイヤシグナリングによって予め設定された１つのバンドリングサイズを利用する。
【００４８】
当該実施形態において、ユーザ端末に対するバンドリングサイズの動的設定が実現される。
【００４９】
なお、本開示の実施例で紹介した複数種類の選択可能な実施形態は、互いに組み合わせて実現されてもよく、単独に実現されてもよいが、これに対し本開示の実施例で限定しない。
【００５０】
本実施例において、ユーザ端末は、前記ユーザ端末では単一ＰＲＢ  ｂｕｎｄｌｉｎｇがサポートされるかを示すための能力情報をネットワーク側機器に報知し、前記ネットワーク側機器から前記能力情報に基づいて前記ユーザ端末に設定したバンドリングサイズセットを受信し、ここで、単一ＰＲＢ  ｂｕｎｄｌｉｎｇをサポートすることが、ＰＲＢ  ｂｕｎｄｌｉｎｇ機能のオフをサポートすることを示す。よって、ユーザ端末のバンドリングサイズを決定することができる。
【００５１】
図３を参照する。図３は、本開示の実施例における別のバンドリングサイズ決定方法のフローチャートである。図３に示すように、以下のステップを含む。
【００５２】
ステップ３０１において、バンドリングサイズ動的調整機能をネットワーク側機器によってオフにする場合、前記ユーザ端末は、データ伝送の際に、初期設定のバンドリングサイズまたはハイレイヤシグナリングによって設定されたバンドリングサイズを利用する。
【００５３】
ここで、上記のバンドリングサイズ動的調整機能をネットワーク側機器によってオフにすることは、ネットワーク側機器がバンドリングサイズ動的調整機能をオフにしてユーザ端末に通知すると理解できる。かつバンドリングサイズ動的調整機能をオフにすることは、バンドリングサイズの動的調整ができないと理解できる。上記のバンドリングサイズ動的調整機能をオフにすることは、ネットワーク側機器によってハイレイヤシグナリングによって設定され、たとえばＲＲＣ（Ｒａｄｉｏ  Ｒｅｓｏｕｒｃｅ  Ｃｏｎｔｒｏｌ）シグナリングによってバンドリングサイズ動的調整機能をオフにする。
【００５４】
また、上記初期設定のバンドリングサイズは、ユーザ端末で予め設定されたバンドリングサイズ、またはプロトコルで予め定義されたバンドリングサイズである。上記のハイレイヤシグナリングによって設定されるバンドリングサイズは、ネットワーク側機器がハイレイヤシグナリングによって上記ユーザ端末に設定するバンドリングサイズである。たとえば、バンドリングサイズは、｛１、２、４、連続的にスケジューリングされる帯域幅｝のうちの１つである。
【００５５】
本開示の実施例において、上記ステップによって、バンドリングサイズ動的調整機能をオフにする場合、初期設定またはハイレイヤ設定方式でバンドリングサイズを取得することが実現され、バンドリングサイズ動的調整機能をオフにする場合でバンドリングサイズが決定できずＰＲＢ  ｂｕｎｄｌｉｎｇができないことが避けられる。
【００５６】
選択可能に、前記ユーザ端末が、データ伝送の際に、初期設定のバンドリングサイズまたはハイレイヤシグナリングによって設定されたバンドリングサイズを利用することは、前記ユーザ端末が、データ伝送の際に、初期設定のバンドリングサイズを利用すること、または、前記ユーザ端末が、データ伝送の際に、前記ネットワーク側機器からハイレイヤシグナリングによって設定され、前記ユーザ端末で利用可能なバンドリングサイズセットのうちの１つであるバンドリングサイズを利用すること、または、前記ユーザ端末が、データ伝送の際に、前記ユーザ端末で利用可能なバンドリングサイズセットのうちの最小値のバンドリングサイズを利用することを含む。
【００５７】
当該実施形態において、バンドリングサイズ動的調整機能をオフにする場合、初期設定のバンドリングサイズを選択すること、または、ネットワーク側機器からハイレイヤシグナリングによって設定されたバンドリングサイズを利用すること、または、初期設定として、前記ユーザ端末で利用可能なバンドリングサイズセットのうちの最小値のバンドリングサイズを利用することが実現され、システムの柔軟性を向上させる。
【００５８】
また、上記ユーザ端末で利用可能なバンドリングサイズセットは、ネットワーク側機器からユーザ端末の能力情報に基づいて前記ユーザ端末に設定するバンドリングサイズセットである。ここで、当該バンドリングサイズセットは、図２に示す実施例におけるバンドリングサイズセットを参照する。
【００５９】
たとえば、ユーザ端末では単一ＰＲＢ  ｂｕｎｄｌｉｎｇがサポートされる場合、ネットワーク側機器は、ハイレイヤシグナリングによって、｛１、２、４、連続的にスケジューリングされる帯域幅｝またはそれ以外の１を含む値のセットから、１つのバンドリングサイズをユーザ端末に設定する。または、ユーザ端末では単一ＰＲＢ  ｂｕｎｄｌｉｎｇがサポートされない場合、ネットワーク側機器は、ハイレイヤシグナリングによって、｛２、４、連続的にスケジューリングされる帯域幅｝またはそれ以外の１を含まない値のセットから、１つのバンドリングサイズをユーザ端末に設定する。
【００６０】
また、たとえば、ユーザ端末では単一ＰＲＢ  ｂｕｎｄｌｉｎｇがサポートされる場合、ユーザ端末は、｛１、２、４、連続的にスケジューリングされる帯域幅｝またはそれ以外の１を含む値のセットから最小値を選択してバンドリングサイズとする。または、ユーザ端末では単一ＰＲＢ  ｂｕｎｄｌｉｎｇがサポートされない場合、ユーザ端末は、｛２、４、連続的にスケジューリングされる帯域幅｝またはそれ以外の１を含まない値のセットから最小値を選択してバンドリングサイズとする。
【００６１】
なお、上記ユーザ端末で利用可能なバンドリングサイズセットは、能力情報の報知によって取得したバンドリングサイズセットに限定されない。たとえば、上記ユーザ端末で利用可能なバンドリングサイズセットは、ユーザ端末で予め設定されるか、ネットワーク側機器から予めユーザ端末に設定される。
【００６２】
選択可能に、前記方法は、前記ネットワーク側機器によってバンドリングサイズ動的調整機能をオンにする場合、前記ユーザ端末が、バンドリングサイズ動的指示を含むＤＣＩを前記ネットワーク側機器から受信することと、前記ユーザ端末が、前記バンドリングサイズ動的指示に基づき、データ伝送に利用されるバンドリングサイズを決定することとをさらに含む。
【００６３】
当該実施形態において、ユーザ端末に対するバンドリングサイズの動的設定が実現される。
【００６４】
本実施例にいて、前記ネットワーク機器によってバンドリングサイズ動的調整機能をオフにする場合、前記ユーザ端末のデータ伝送時に、初期設定のバンドリングサイズまたはハイレイヤシグナリングによって設定されるバンドリングサイズが利用される。よって、ユーザ端末のバンドリングサイズを決定することができる。
【００６５】
図４を参照する。図４は、本開示の実施例における別のバンドリングサイズ決定方法のフローチャートである。図４に示すように、以下のステップを含む。
【００６６】
ステップ４０１において、ユーザ端末は、前記ユーザ端末では単一ＰＲＢ  ｂｕｎｄｌｉｎｇがサポートされるかを示すための能力情報をネットワーク側機器に報知し、前記ネットワーク側機器から前記能力情報に基づいて前記ユーザ端末に設定したバンドリングサイズセットを受信する。ここで、単一ＰＲＢ  ｂｕｎｄｌｉｎｇをサポートすることが、ＰＲＢ  ｂｕｎｄｌｉｎｇ機能のオフをサポートすることを示す。
【００６７】
ステップ４０２において、バンドリングサイズ動的調整機能を前記ネットワーク側機器によってオフにする場合、前記ユーザ端末は、データ伝送の際に、初期設定のバンドリングサイズまたはハイレイヤシグナリングによって設定されたバンドリングサイズを利用する。
【００６８】
ここで、ステップ４０１とステップ４０２は、図２に示す実施例の対応箇所の説明を参照し、ここでは繰り返して記載せず、かつ同一の技術効果を奏することができる。
【００６９】
なお、本開示の実施例において、ステップ４０１とステップ４０２の実行順を限定しない。図４に示すように、ステップ４０１を実行してからステップ４０２を実行することが好ましい。
【００７０】
選択可能に、前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含む。
【００７１】
ここで、上記連続的にスケジューリングされる帯域幅は、ユーザ端末のスケジューリングされる連続帯域幅であり、または複数回でスケジューリングされる連続帯域幅の合計である。上記１、２、４およびほかの値は、１、２、４、ほかの値の数のＰＲＢを示し、かつ上記ほかの値は、１、２、４以外の１つまたは複数の整数である。
【００７２】
当該実施形態において、１を含むバンドリングサイズセットをユーザ端末に設定することが実現され、ユーザ端末の単一ＰＲＢ  ｂｕｎｄｌｉｎｇが可能である。ここで、単一ＰＲＢ  ｂｕｎｄｌｉｎｇは、ＴＤＤシステムに対し、特にアンテナ数が多くかつチャネル周波数選択性が大きい場合、周波数選択性ビームフォーミングのゲインを高めることができる。
【００７３】
選択可能に、前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む。
【００７４】
当該実施形態において、１を含まないバンドリングサイズセットをユーザ端末に設定することが実現され、ユーザ端末では単一ＰＲＢ  ｂｕｎｄｌｉｎｇがサポートされないにかかわらず、バンドリングサイズとして１をユーザ端末に設定することによるミスが避けられる。
【００７５】
選択可能に、前記ユーザ端末が、データ伝送の際に、初期設定のバンドリングサイズまたはハイレイヤシグナリングによって設定されたバンドリングサイズを利用することは、前記ユーザ端末が、データ伝送の際に、初期設定のバンドリングサイズを利用すること、または、前記ユーザ端末が、データ伝送の際に、前記ネットワーク側機器からハイレイヤシグナリングによって設定され、前記ユーザ端末で利用可能なバンドリングサイズセットのうちの１つであるバンドリングサイズを利用すること、または、前記ユーザ端末が、データ伝送の際に、前記ユーザ端末で利用可能なバンドリングサイズセットのうちの最小値のバンドリングサイズを利用することを含む。
【００７６】
当該実施形態において、バンドリングサイズ動的調整機能をオフにする場合、初期設定のバンドリングサイズを選択すること、または、ネットワーク側機器からハイレイヤシグナリングによって設定されたバンドリングサイズを利用すること、または、初期設定として、前記ユーザ端末で利用可能なバンドリングサイズセットのうちの最小値のバンドリングサイズを利用することが実現され、システムの柔軟性を向上させる。
【００７７】
また、上記ユーザ端末で利用可能なバンドリングサイズセットは、ネットワーク側機器からユーザ端末の能力情報に基づいて前記ユーザ端末に設定するバンドリングサイズセットである。ここで、当該バンドリングサイズセットは、ステップ４０１におけるバンドリングサイズセットを参照する。
【００７８】
なお、上記ユーザ端末で利用可能なバンドリングサイズセットは、能力情報の報知によって取得したバンドリングサイズセットに限定されない。たとえば、上記ユーザ端末で利用可能なバンドリングサイズセットは、ユーザ端末で予め設定されるか、ネットワーク側機器から予めユーザ端末に設定される。
【００７９】
選択可能に、前記方法は、前記ネットワーク側機器によってバンドリングサイズ動的調整機能をオンにする場合、前記ユーザ端末が、バンドリングサイズ動的指示を含むＤＣＩを前記ネットワーク側機器から受信することと、前記ユーザ端末が、前記バンドリングサイズ動的指示に基づき、データ伝送に利用されるバンドリングサイズを決定することとをさらに含む。
【００８０】
当該実施形態において、ユーザ端末に対するバンドリングサイズの動的設定が実現される。
【００８１】
なお、本開示の実施例で紹介した複数種類の選択可能な実施形態は、互いに組み合わせて実現されてもよく、単独で実現されてもよいが、これに対し本開示の実施例で限定しない。
【００８２】
本実施例において、ユーザ端末は、前記ユーザ端末では単一ＰＲＢ  ｂｕｎｄｌｉｎｇがサポートされるかを示すための能力情報をネットワーク側機器に報知し、前記ネットワーク側機器から前記能力情報に基づいて前記ユーザ端末に設定したバンドリングサイズセットを受信し、ここで、単一ＰＲＢ  ｂｕｎｄｌｉｎｇをサポートすることが、ＰＲＢ  ｂｕｎｄｌｉｎｇ機能のオフをサポートすることを示す。バンドリングサイズ動的調整機能を前記ネットワーク側機器によってオフにする場合、前記ユーザ端末は、データ伝送の際に、初期設定のバンドリングサイズまたはハイレイヤシグナリングによって設定されたバンドリングサイズを利用する。よって、ユーザ端末のバンドリングサイズを決定することができる。
【００８３】
図５を参照する。図５は、本開示の実施例におけるバンドリングサイズ決定方法のフローチャートである。図５に示すように、以下のステップ５０１および／または５０２を含む。
【００８４】
ステップ５０１において、ネットワーク側機器は、ユーザ端末から報知される能力情報であって、前記ユーザ端末では単一ＰＲＢ  ｂｕｎｄｌｉｎｇがサポートされるかを示すための能力情報を受信し、前記ネットワーク側機器から前記能力情報に基づいて前記ユーザ端末に設定したバンドリングサイズセットを前記ユーザ端末に送信する。ここで、単一ＰＲＢ  ｂｕｎｄｌｉｎｇをサポートすることが、ＰＲＢ  ｂｕｎｄｌｉｎｇ機能のオフをサポートすることを示す。
【００８５】
ステップ５０２において、前記ネットワーク側機器は、バンドリングサイズ動的調整機能をオフにする場合、ハイレイヤシグナリングによって前記ユーザ端末にバンドリングサイズを設定する。
【００８６】
なお、ステップ５０１とステップ５０２との間のおよび／またはの関係について、上記方法ではステップ５０１またはステップ５０２を含み、または上記方法ではステップ５０１とステップ５０２とを含むと理解できる。ここで、ステップ５０２とステップ５０２とを含む場合、本開示の実施例において、この２つのステップの実行順を限定しない。図５に示すように、ステップ５０１を実行してからステップ５０２を実行することが好ましい。
【００８７】
選択可能に、前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、または、前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む。
【００８８】
選択可能に、前記のハイレイヤシグナリングによって前記ユーザ端末に設定するバンドリングサイズは、前記ユーザ端末で利用可能なバンドリングサイズセットのうちの１つのバンドリングサイズである。
【００８９】
選択可能に、前記ユーザ端末で利用可能なバンドリングサイズセットは、前記ネットワーク側機器から前記能力情報に基づいて前記ユーザ端末に設定したバンドリングサイズセットを含む。
【００９０】
選択可能に、前記方法において、前記ネットワーク側機器によってバンドリングサイズ動的調整機能をオンにする場合、前記ネットワーク側機器が、バンドリングサイズ動的指示を含むＤＣＩを前記ユーザ端末に送信し、前記ユーザ端末が、前記バンドリングサイズ動的指示に基づき、データ伝送に利用されるバンドリングサイズを決定することをさらに含む。
【００９１】
なお、本実施例は、図２に示す実施例に対応するネットワーク側機器の実施形態として、その具体的な実施形態について図２に示す実施例の関連説明を参照し、重複を避けるために、本実施例で繰り返して記載せず、かつ同一の技術効果を奏することもできる。
【００９２】
図６を参照する。図６は、本開示の実施例におけるユーザ端末の構造図である。図６に示すように、ユーザ端末６００は、前記ユーザ端末では単一ＰＲＢ  ｂｕｎｄｌｉｎｇがサポートされるかを示すための能力情報をネットワーク側機器に報知し、前記ネットワーク側機器から前記能力情報に基づいて前記ユーザ端末に設定したバンドリングサイズセットを受信するための伝送モジュール６０１を含み、ここで、単一ＰＲＢ  ｂｕｎｄｌｉｎｇをサポートすることが、ＰＲＢ  ｂｕｎｄｌｉｎｇ機能のオフをサポートすることを示し、および／または、バンドリングサイズ動的調整機能を前記ネットワーク側機器によってオフにする場合、前記ユーザ端末のデータ伝送の際に、初期設定のバンドリングサイズまたはハイレイヤシグナリングによって設定されたバンドリングサイズを利用するための利用モジュール６０２を含む。
【００９３】
選択可能に、前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、または、前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む。
【００９４】
選択可能に、前記利用モジュール６０２は、バンドリングサイズ動的調整機能を前記ネットワーク側機器によってオフにする場合、データ伝送の際に、初期設定のバンドリングサイズを利用することに用いられる。または、前記利用モジュール６０２は、バンドリングサイズ動的調整機能を前記ネットワーク側機器によってオフにする場合、データ伝送の際に、前記ネットワーク側機器からハイレイヤシグナリングによって設定され、前記ユーザ端末で利用可能なバンドリングサイズセットのうちの１つであるバンドリングサイズを利用することに用いられる。または、前記利用モジュール６０２は、バンドリングサイズ動的調整機能を前記ネットワーク側機器によってオフにする場合、データ伝送の際に、前記ユーザ端末で利用可能なバンドリングサイズセットのうちの最小値のバンドリングサイズを利用することに用いられる。
【００９５】
選択可能に、前記ユーザ端末で利用可能なバンドリングサイズセットは、前記ネットワーク側機器から前記能力情報に基づいて前記ユーザ端末に設定したバンドリングサイズセットを含む。
【００９６】
選択可能に、図７に示すように、ユーザ端末６００は、前記ネットワーク側機器によってバンドリングサイズ動的調整機能をオンにする場合、前記ユーザ端末がバンドリングサイズ動的指示を含むＤＣＩを前記ネットワーク側機器から受信するための受信モジュール６０３と、前記バンドリングサイズ動的指示に基づき、データ伝送に利用されるバンドリングサイズを決定するための決定モジュール６０４とをさらに含む。
【００９７】
なお、本実施例における上記ユーザ端末６００は、本開示の実施例における方法実施例の任意の実施形態のユーザ端末であってもよい。本開示の実施例における方法実施例のユーザ端末の任意の実施形態は、本開示における上記ユーザ端末６００によって実現可能であり、同一の技術効果を奏することもできるため、ここでは繰り返して記載しない。
【００９８】
図８を参照する。図８は、本開示の実施例におけるネットワーク側機器の構造図である。図８に示すように、ネットワーク側機器８００は、ユーザ端末から報知される能力情報であって、前記ユーザ端末では単一ＰＲＢ  ｂｕｎｄｌｉｎｇがサポートされるかを示すための能力情報を受信し、前記ネットワーク側機器から前記能力情報に基づいて前記ユーザ端末に設定したバンドリングサイズセットを前記ユーザ端末に送信するための伝送モジュール８０１を含み、ここで、単一ＰＲＢ  ｂｕｎｄｌｉｎｇをサポートすることが、ＰＲＢ  ｂｕｎｄｌｉｎｇ機能のオフをサポートすることを示し、および／または、前記ネットワーク側機器がバンドリングサイズ動的調整機能をオフにする場合、ハイレイヤシグナリングによって前記ユーザ端末にバンドリングサイズを設定するための設定モジュール８０２を含む。
【００９９】
選択可能に、前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、または、前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む。
【０１００】
選択可能に、前記のハイレイヤシグナリングによって前記ユーザ端末に設定するバンドリングサイズは、前記ユーザ端末で利用可能なバンドリングサイズセットのうちの１つのバンドリングサイズである。
【０１０１】
選択可能に、前記ユーザ端末で利用可能なバンドリングサイズセットは、前記ネットワーク側機器から前記能力情報に基づいて前記ユーザ端末に設定したバンドリングサイズセットを含む。
【０１０２】
選択可能に、図９に示すように、ネットワーク側機器８００は、前記ネットワーク側機器によってバンドリングサイズ動的調整機能をオンにする場合、バンドリングサイズ動的指示を含むＤＣＩを前記ユーザ端末に送信するための送信モジュール８０３をさらに含む。よって、前記ユーザ端末は、前記バンドリングサイズ動的指示に基づき、データ伝送に利用されるバンドリングサイズを決定する。
【０１０３】
なお、本実施例における上記ネットワーク側機器８００は、本開示の実施例における方法実施例の任意の実施形態のネットワーク側機器であってもよい。本開示の実施例における方法実施例のネットワーク側機器の任意の実施形態は、本開示における上記ネットワーク側機器８００によって実現可能であり、同一の技術効果を奏することもできるため、ここでは繰り返して記載しない。
【０１０４】
図１０を参照する。図１０は、本開示の実施例における別のユーザ端末の構造図である。図１０に示すように、当該ユーザ端末は、トランシーバ１０１０と、メモリ１０２０と、プロセッサ１０００と、前記メモリ１０２０に格納されて前記プロセッサで実行可能なコンピュータプログラムを含む。前記トランシーバ１０１０は、前記ユーザ端末では単一ＰＲＢ  ｂｕｎｄｌｉｎｇがサポートされるかを示すための能力情報をネットワーク側機器に報知し、前記ネットワーク側機器から前記能力情報に基づいて前記ユーザ端末に設定したバンドリングサイズセットを受信することに用いられ、ここで、単一ＰＲＢ  ｂｕｎｄｌｉｎｇをサポートすることが、ＰＲＢ  ｂｕｎｄｌｉｎｇ機能のオフをサポートすることを示し、および／または、バンドリングサイズ動的調整機能を前記ネットワーク側機器によってオフにする場合、データ伝送の際に、初期設定のバンドリングサイズまたはハイレイヤシグナリングによって設定されたバンドリングサイズを利用することに用いられる。
【０１０５】
ここで、トランシーバ１０１０は、プロセッサ１０００の制御でデータを送受信することに用いられる。
【０１０６】
図１０において、バスアーキテクチャは、任意数の相互接続するバスとブリッジを含み、具体的に、プロセッサ１０００をはじめとする１つ又は複数のプロセッサとメモリ１０２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１０１０は、複数の部品であってもよく、即ち送信機と受信機を含み、伝送媒体でほかの各種類の装置と通信するユニットとして提供される。
【０１０７】
プロセッサ１０００は、バスアーキテクチャと通常の処理を管理する。メモリ１０２０は、プロセッサ１０００による操作実行に使用されるデータを記憶できる。
【０１０８】
なお、メモリ１０２０は、ユーザ端末のみに位置するに限定されない。メモリ１０２０とプロセッサ１０００を異なる地理的位置に分離させてもよい。
【０１０９】
選択可能に、前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、または、前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む。
【０１１０】
選択可能に、前記データ伝送の際に、初期設定のバンドリングサイズまたはハイレイヤシグナリングによって設定されたバンドリングサイズを利用することは、データ伝送の際に、初期設定のバンドリングサイズを利用すること、または、データ伝送の際に、前記ネットワーク側機器からハイレイヤシグナリングによって設定され、前記ユーザ端末で利用可能なバンドリングサイズセットのうちの１つであるバンドリングサイズを利用すること、または、データ伝送の際に、前記ユーザ端末で利用可能なバンドリングサイズセットのうちの最小値のバンドリングサイズを利用することを含む。
【０１１１】
選択可能に、前記ユーザ端末で利用可能なバンドリングサイズセットは、前記ネットワーク側機器から前記能力情報に基づいて前記ユーザ端末に設定したバンドリングサイズセットを含む。
【０１１２】
選択可能に、前記トランシーバ１０１０は、さらに、前記ネットワーク側機器によってバンドリングサイズ動的調整機能をオンにする場合、バンドリングサイズ動的指示を含むＤＣＩを前記ネットワーク側機器から受信することと、前記バンドリングサイズ動的指示に基づき、データ伝送に利用されるバンドリングサイズを決定することとに用いられる。または、前記トランシーバ１０１０は、さらに、前記ネットワーク側機器によってバンドリングサイズ動的調整機能をオンにする場合、バンドリングサイズ動的指示を含むＤＣＩを前記ネットワーク側機器から受信することに用いられる。前記プロセッサ１０００は、メモリ１０２０からプログラムを読み取ることによって、前記バンドリングサイズ動的指示に基づき、データ伝送に利用されるバンドリングサイズを決定するプロセスを実行することに用いられる。
【０１１３】
なお、本実施例における上記ユーザ端末は、本開示の実施例における方法実施例の任意の実施形態のユーザ端末であってもよい。本開示の実施例における方法実施例のユーザ端末の任意の実施形態は、本開示における上記ユーザ端末によって実現可能であり、同一の技術効果を奏することもできるため、ここでは繰り返して記載しない。
【０１１４】
図１１を参照する。図１１は、本開示の実施例における別のネットワーク側機器の構造図である。図１１に示すように、当該ネットワーク側機器は、トランシーバ１１１０と、メモリ１１２０と、プロセッサ１１００と、前記メモリ１１２０に格納されて前記プロセッサで実行可能なコンピュータプログラムを含む。前記トランシーバ１１１０は、ユーザ端末から報知される能力情報であって、前記ユーザ端末では単一ＰＲＢ  ｂｕｎｄｌｉｎｇがサポートされるかを示すための能力情報を受信し、前記ネットワーク側機器から前記能力情報に基づいて前記ユーザ端末に設定したバンドリングサイズセットを前記ユーザ端末に送信することに用いられ、ここで、単一ＰＲＢ  ｂｕｎｄｌｉｎｇをサポートすることが、ＰＲＢ  ｂｕｎｄｌｉｎｇ機能のオフをサポートすることを示し、および／または、前記ネットワーク側機器がバンドリングサイズ動的調整機能をオフにする場合、ハイレイヤシグナリングによって前記ユーザ端末にバンドリングサイズを設定することに用いられる。
【０１１５】
ここで、トランシーバ１１１０は、プロセッサ１１００による制御でデータを送受信することに用いられる。
【０１１６】
図１１において、バスアーキテクチャは、任意数の相互接続するバスとブリッジを含み、具体的に、プロセッサ１１００をはじめとする１つ又は複数のプロセッサとメモリ１１２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１１１０は、複数の部品であってもよく、即ち送信機と受信機を含み、伝送媒体でほかの各種類の装置と通信するユニットとして提供される。
【０１１７】
プロセッサ１１００は、バスアーキテクチャと通常の処理を管理する。メモリ１１２０は、プロセッサ１１００による操作実行に使用されるデータを記憶できる。
【０１１８】
なお、メモリ１１２０は、ユーザ端末のみに位置するに限定されない。メモリ１１２０とプロセッサ１１００を異なる地理的位置に分離させてもよい。
【０１１９】
選択可能に、前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、または、前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む。
【０１２０】
選択可能に、前記のハイレイヤシグナリングによって前記ユーザ端末に設定するバンドリングサイズは、前記ユーザ端末で利用可能なバンドリングサイズセットのうちの１つのバンドリングサイズである。
【０１２１】
選択可能に、前記ユーザ端末で利用可能なバンドリングサイズセットは、前記ネットワーク側機器から前記能力情報に基づいて前記ユーザ端末に設定したバンドリングサイズセットを含む。
【０１２２】
選択可能に、前記トランシーバは、さらに、前記ネットワーク側機器によってバンドリングサイズ動的調整機能をオンにする場合、バンドリングサイズ動的指示を含むＤＣＩを前記ユーザ端末に送信することに用いられる。よって、前記ユーザ端末は、前記バンドリングサイズ動的指示に基づき、データ伝送に利用されるバンドリングサイズを決定する。
【０１２３】
なお、なお、本実施例における上記ネットワーク側機器は、本開示の実施例における方法実施例の任意の実施形態のネットワーク側機器であってもよい。本開示の実施例における方法実施例のネットワーク側機器の任意の実施形態は、本開示における上記ネットワーク側機器によって実現可能であり、同一の技術効果を奏することもできるため、ここでは繰り返して記載しない。
【０１２４】
本開示の実施例は、コンピュータプログラムが格納されているコンピュータ読み取り可能な記憶媒体をさらに提供する。当該プログラムがプロセッサによって実行されると、本開示の実施例におけるユーザ端末側のバンドリングサイズ決定方法のステップが実現される。
【０１２５】
本開示の実施例は、コンピュータプログラムが格納されているコンピュータ読み取り可能な記憶媒体をさらに提供する。当該プログラムがプロセッサによって実行されると、本開示の実施例におけるネットワーク側機器側のバンドリングサイズ決定方法のステップが実現される。
【０１２６】
本願で提供されるいくつかの実施例において、開示された方法および装置は、他の方式で実施され得ることを理解されたい。例えば、以上に記載された装置の実施例は、単なる例示である。例えば、ユニットの区分は、単に論理機能の区分であり、実際に実現する際に別の区分方式がある。例えば、複数のユニットまたはコンポーネントは、別のシステムに組み合わせられまたは一体化される。または、一部の特徴は、無視されてもよく、または実行されなくてもよい。また、示されておりまたは議論されている相互間の結合や直接結合や通信接続は、インタフェース、装置またはユニットを介した間接結合や通信接続であり、電気的、機械的、または他の形式である。
【０１２７】
また、本開示の各実施例における各機能的ユニットは、１つの処理部に一体化されていてもよいし、別々に設けられていてもよいし、２つ以上が一体化されてもよい。上述した一体化ユニットは、ハードウェアの形態、またはハードウェアとソフトウェア機能ユニットの形態で実施することができる。
【０１２８】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１２９】
以上記載されたのは、本開示の好適な実施形態である。当業者は、本開示に記載されている原理を逸脱せずに様々な改良や修飾をすることもできる。これらの改良や修飾も、本開示の保護範囲として見なされるべきである。
【図１】
2021502787.tif 000003
【図２】
2021502787.tif 000004
【図３】
2021502787.tif 000005
【図４】
2021502787.tif 000006
【図５】
2021502787.tif 000007
【図６】
2021502787.tif 000008
【図７】
2021502787.tif 000009
【図８】
2021502787.tif 000010
【図９】
2021502787.tif 000011
【図１０】
2021502787.tif 000012
【図１１】
2021502787.tif 000013
【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
ユーザ端末が、前記ユーザ端末では単一ＰＲＢ  ｂｕｎｄｌｉｎｇがサポートされるかを示すための能力情報をネットワーク側機器に報知し、前記ネットワーク側機器から前記能力情報に基づいて前記ユーザ端末に設定したバンドリングサイズセットを受信することを含み、ここで、単一ＰＲＢ  ｂｕｎｄｌｉｎｇをサポートすることが、ＰＲＢ  ｂｕｎｄｌｉｎｇ機能のオフをサポートすることを示し、
および／または、
バンドリングサイズ動的調整機能を前記ネットワーク側機器によってオフにする場合、前記ユーザ端末が、データ伝送の際に、初期設定のバンドリングサイズまたはハイレイヤシグナリングによって設定されたバンドリングサイズを利用することを含む、バンドリングサイズ決定方法。
【請求項２】
前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、
または、
前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む、請求項１に記載の方法。
【請求項３】
前記ユーザ端末が、データ伝送の際に、初期設定のバンドリングサイズまたはハイレイヤシグナリングによって設定されたバンドリングサイズを利用することは、
前記ユーザ端末が、データ伝送の際に、初期設定のバンドリングサイズを利用すること、または、
前記ユーザ端末が、データ伝送の際に、前記ネットワーク側機器からハイレイヤシグナリングによって設定され、前記ユーザ端末で利用可能なバンドリングサイズセットのうちの１つであるバンドリングサイズを利用すること、または、
前記ユーザ端末が、データ伝送の際に、前記ユーザ端末で利用可能なバンドリングサイズセットのうちの最小値のバンドリングサイズを利用することを含む、請求項１または２に記載の方法。
【請求項４】
前記ユーザ端末で利用可能なバンドリングサイズセットは、前記ネットワーク側機器から前記能力情報に基づいて前記ユーザ端末に設定したバンドリングサイズセットを含む、請求項３に記載の方法。
【請求項５】
ネットワーク側機器が、ユーザ端末から報知される能力情報であって、前記ユーザ端末では単一ＰＲＢ  ｂｕｎｄｌｉｎｇがサポートされるかを示すための能力情報を受信し、前記ネットワーク側機器から前記能力情報に基づいて前記ユーザ端末に設定したバンドリングサイズセットを前記ユーザ端末に送信することを含み、ここで、単一ＰＲＢ  ｂｕｎｄｌｉｎｇをサポートすることが、ＰＲＢ  ｂｕｎｄｌｉｎｇ機能のオフをサポートすることを示し、
および／または、
前記ネットワーク側機器が、バンドリングサイズ動的調整機能をオフにする場合、ハイレイヤシグナリングによって前記ユーザ端末にバンドリングサイズを設定することを含む、バンドリングサイズ決定方法。
【請求項６】
前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、
または、
前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む、請求項５に記載の方法。
【請求項７】
前記のハイレイヤシグナリングによって前記ユーザ端末に設定するバンドリングサイズは、前記ユーザ端末で利用可能なバンドリングサイズセットのうちの１つのバンドリングサイズである、請求項５または６に記載の方法。
【請求項８】
前記ユーザ端末で利用可能なバンドリングサイズセットは、前記ネットワーク側機器から前記能力情報に基づいて前記ユーザ端末に設定したバンドリングサイズセットを含む、請求項７に記載の方法。
【請求項９】
ユーザ端末であって、
前記ユーザ端末では単一ＰＲＢ  ｂｕｎｄｌｉｎｇがサポートされるかを示すための能力情報をネットワーク側機器に報知し、前記ネットワーク側機器から前記能力情報に基づいて前記ユーザ端末に設定したバンドリングサイズセットを受信するための伝送モジュールを含み、ここで、単一ＰＲＢ  ｂｕｎｄｌｉｎｇをサポートすることが、ＰＲＢ  ｂｕｎｄｌｉｎｇ機能のオフをサポートすることを示し、
および／または、
バンドリングサイズ動的調整機能を前記ネットワーク側機器によってオフにする場合、前記ユーザ端末のデータ伝送の際に、初期設定のバンドリングサイズまたはハイレイヤシグナリングによって設定されたバンドリングサイズを利用するための利用モジュールを含む、ユーザ端末。
【請求項１０】
前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、
または、
前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む、請求項９に記載のユーザ端末。
【請求項１１】
前記利用モジュールは、バンドリングサイズ動的調整機能を前記ネットワーク側機器によってオフにする場合、データ伝送の際に、初期設定のバンドリングサイズを利用することに用いられ、または、
前記利用モジュールは、バンドリングサイズ動的調整機能を前記ネットワーク側機器によってオフにする場合、データ伝送の際に、前記ネットワーク側機器からハイレイヤシグナリングによって設定され、前記ユーザ端末で利用可能なバンドリングサイズセットのうちの１つであるバンドリングサイズを利用することに用いられ、または、
前記利用モジュールは、バンドリングサイズ動的調整機能を前記ネットワーク側機器によってオフにする場合、データ伝送の際に、前記ユーザ端末で利用可能なバンドリングサイズセットのうちの最小値のバンドリングサイズを利用することに用いられる、請求項９または１０に記載のユーザ端末。
【請求項１２】
ネットワーク側機器であって、
ユーザ端末から報知される能力情報であって、前記ユーザ端末では単一ＰＲＢ  ｂｕｎｄｌｉｎｇがサポートされるかを示すための能力情報を受信し、前記ネットワーク側機器から前記能力情報に基づいて前記ユーザ端末に設定したバンドリングサイズセットを前記ユーザ端末に送信するための伝送モジュールを含み、ここで、単一ＰＲＢ  ｂｕｎｄｌｉｎｇをサポートすることが、ＰＲＢ  ｂｕｎｄｌｉｎｇ機能のオフをサポートすることを示し、
および／または、
前記ネットワーク側機器がバンドリングサイズ動的調整機能をオフにする場合、ハイレイヤシグナリングによって前記ユーザ端末にバンドリングサイズを設定するための設定モジュールを含む、ネットワーク側機器。
【請求項１３】
前記ユーザ端末では単一ＰＲＢ  ｂｕｎｄｌｉｎｇがサポートされる場合、前記バンドリングサイズセットは、１を含み、さらに、２、４、連続的にスケジューリングされる帯域幅およびほかの値のうちの１つまたは複数を含み、
または、
前記ユーザ端末では単一ＰＲＢ  ｂｕｎｄｌｉｎｇがサポートされない場合、前記バンドリングサイズセットは、２、４、連続的にスケジューリングされる帯域幅およびほかの値のうちの１つまたは複数を含む、請求項１２に記載のネットワーク側機器。
【請求項１４】
前記のハイレイヤシグナリングによって前記ユーザ端末に設定するバンドリングサイズは、前記ユーザ端末で利用可能なバンドリングサイズセットのうちの１つのバンドリングサイズである、請求項１２または１３に記載のネットワーク側機器。
【請求項１５】
コンピュータプログラムが格納されているコンピュータ読み取り可能な記憶媒体であって、
当該プログラムがプロセッサによって実行されると、請求項１〜４のいずれか一項に記載のバンドリングサイズ決定方法のステップが実現され、または、
当該プログラムがプロセッサによって実行されると、請求項５〜８のいずれか一項に記載のバンドリングサイズ決定方法のステップが実現される、コンピュータ読み取り可能な記憶媒体。
【国際調査報告】
2021502787.tif 000014
2021502787.tif 000015
2021502787.tif 000016
2021502787.tif 000017